Podtech/llm-jp-corpus-v4-ja_patent huggingface dataset:
(57)【要約】【課題】介助用車椅子しか使えない住宅事情でも自力で室内の移動を可能にするスツールを提供すること。【解決手段】利用者が使いやすく、最も安全に移動する手段として、自力で簡単に操作できる移動自在なスツールを考案した。座受け（２）にキャスター（３）をつけることにより自在に方向転換ができ、前方のキャスターはストッパー付きとすることによりスツールを固定することができる。軽量なので簡単に持ち運びができ、外出先でも室内用車付きスツールとして使用可能である。【選択図】図１
0003110227.tif 000002
【実用新案登録請求の範囲】
【請求項１】
支持体と、当該支持体の上部に設けられた座部、当該支持体の下部に設けられた座受けおよび座受けに設けられたキャスターを備えたスツールにおいて、前記座部を前記座受け平面領域内でかつ座受け中央部より前方に配置したことを特徴とするスツール。
【考案の詳細な説明】
【技術分野】
【０００１】本考案は、障害者が自立を確保するための機器に属する。
【背景技術】
【０００２】狭い住宅事情であっても、車椅子を使うことなく障害者が一人で室内の移動を可能にするための機器を提供する。
【考案の開示】
【考案が解決しようとする課題】
【０００３】介助者の負担を軽減すると共に、障害者自身が一人で室内の移動を可能にし、少しでも自立につなげたい。
【考案の効果】
【０００４】介助者の手を借りなくても、思うところに移動ができるので双方のストレスが解消された。残された機能の回復・筋力アップの効果もあった。昼間はポータブルトイレを使用しなくなった。家族の役に立ちたいと考えてくれるなど、前向きな考え方ができるようになった。また軽量で持ち運びが簡単なので車椅子と併用すれば、旅行、他家の訪問など外出先でも室内を傷つけることなく使用でき、気軽に外出を楽しめる。
【考案を実施するための最良の形態】
【０００５】図１は室内用移動自在スツールの立体図において、使用者が座る座部（１）、それを支える座受け（２）、室内移動を可能にする車輪（３）、（４）から構成される。
車輪は床を傷つけないようゴム製のキャスターとし、前方２個はストッパー付（３）とし、スツールを固定する。
座受けにキャスター（３）（４）を斜めに付けたのは、傾斜をのぼる時わずかであるが、支点が座受けよりやや外側に移動するため、より後転を防ぐと考える。【０００６】座部（１）は利用者が横転、後転しないように重心を低くし、座受け（２）のやや前方に取り付ける方が好ましい。バランス感覚を養うためにわざと背もたれを付けていない。座椅子の裏側には利用者が安定を図るための指掛かり（８）をつけている。【０００７】座部（１）の天板には少し硬めのクッションを、厚手の滑りにくい素材の合成皮革で張り、防水効果と座り心地に配慮している。【０００８】スツールは足で漕いで移動するため、進行方向の座受け（２）にへこみを設け、踵を傷つけないよう配慮している。座受け（２）の四隅に丸みをつけ、けがの防止、室内を傷つけるのを防止する。【０００９】座受け（２）から立ち上るスツールの脚の固定と横ゆれを防止するために補強板（５）を脚部の前後に付けている。補強板で囲まれた場所は、小物入れ（６）として使用でき、新聞、メガネ、タオルなどを置いて、落とすことなく同時に運ぶことができる。【００１０】高さ調節の際、適性以上に高くできないように調節ストッパー（７）をつけている。【００１１】図５のスツール脚部には、補強板切込（９）を設け、ボルト穴の固定につなげているまた横ゆれを防止するために支持体（１０）で脚の固定を図っている。【００１２】座受け（２）の後方には持ち運びの際や、室内の段差のある場所の移動を介助しやすくするための取っ手（１１）を付けている。機器の大きさは最小限にし、軽量で最高の安全性を備えた自立確保の機器とする。
【実施例】
【００１３】トイレなど室内移動全般・拭き掃除・外出先での室内移動・温泉入浴
【図面の簡単な説明】
【００１４】
【図１】スツール全体を示した立体図である。
【図２】スツール全体を示した正面図である。
【図３】座部分を示した正面図である。
【図４】スツール全体を示した側面図である。
【図５】座部分を示した側面図である。
【図６】座受けを示した平面図である。
【図７】座部のみを示した平面図である。
【符号の説明】
【００１５】（１）  座部
（２）  座受け
（３）  ストッパー付きキャスター
（４）  キャスター
（５）  補強板
（６）  小物入れ
（７）  調節ストッパー
（８）  指掛り
（９）  補強板切込
（１０）支持体
（１１）取っ手
【図１】
0003110227.tif 000003
【図２】
0003110227.tif 000004
【図３】
0003110227.tif 000005
【図４】
0003110227.tif 000006
【図５】
0003110227.tif 000007
【図６】
0003110227.tif 000008
【図７】
0003110227.tif 000009
(57)【要約】      （修正有）【課題】スライドパズルの１ピースに１文字入れ、自分の好きなメッセージ入りスライドパズルを作ることができる。従って、ばらばら文字が一つのメッセージに組み上っていく楽しさを味わえ、また、並べ方によっては違うメッセージになることもあるので、飽きずに遊ぶことができる文字シール付スライドパズルを提供する。【解決手段】従来からあるスライドパズル１に、１文字がそのパズルの１ピースの大きさになっている文字シールをセットにすることで、一文字ずつシールを貼って自分の好きなメッセージ入りスライドパズルを作ることを可能にした。【選択図】図１
0003110228.tif 000002
【実用新案登録請求の範囲】
【請求項１】
スライドパズルに、一文字がそのパズルの１ピースの大きさに納まっている文字シールをセットにすることで、パズルのピース数に合わせた文字数で自分の好きなメッセージをつくり、そのメッセージをシールで一文字ずつスライドパズルに貼ることで、自分の好きなメッセージを入れて遊ぶことができることを特徴とするスライドパズル。
【考案の詳細な説明】
【技術分野】
【０００１】  本考案は、従来からあるスライドパズルに、一文字がそのパズルの１ピースの大きさに納まっている文字シールを付け、そのシールを貼ることでスライドパズルに自分の好きなメッセージを乗せることができることを特徴とするスライドパズルに関するものである。
【背景技術】
【０００２】  例えば、従来からある絵や写真、数字の入ったスライドパズルは、ただパズルを組み換え、もと通りもしくは順番に組みあげて遊ぶだけだった。
【考案の開示】
【考案が解決しようとする課題】
【０００３】  絵や写真、数字の入ったスライドパズルでは、一度組み上げたらそれっきりにしてしまったり、また、単純で受け身な遊びのためすぐに飽きてしまうことが多かった。そこで、何も書かれていないスライドパズルに一文字ずつになっている文字シールを付けることで、自分の好きなメッセージをスライドパズルに入れることができ、今までのスライドパズルとは違った赴きの遊びができることにより、前述の問題を解決するものである。
【問題を解決するための手段】
【０００４】  本考案は、何も書かれていないスライドパズルと、そのパズルの一ピースの大きさに区切られ、一区切りに一文字が印刷されているシールを組み合わせることにより、自分の好きなメッセージ入りのスライドパズルを作れ、従来からある絵や写真、数字入ったスライドパズルとは違った赴きを持ったスライドパズルを作ることができる。
【考案の効果】
【０００５】  上述の様に、本考案の文字シール付きスライドパズルは、スライドパズルのピース数に合わせた文字数のメッセージを考え、何も書かれていないスライドパズルの一ピースに一文字ずつ、付属の文字シールを貼ることによって自分だけのメッセージ入りパズルを簡単に作ることができる。また、そのメッセージ入りのスライドパズルを作った本人以外の人に渡して遊ぶことでばらばら文字が一つのメッセージに組み上っていく楽しさを味わえ、並べ方によっては違うメッセージになることもあるので、飽きずに遊ぶことができる。
【考案を実施するための最良の形態】
【０００６】  何も書かれていないスライドパズルに、そのパズルの一ピースの大きさに区切られ、一区切りに一文字が印刷されているシールを、一枚（一文字）ずつ任意のメッセージの文字の順番に貼っていく。また、このとき任意のメッセージの文字数は、スライドパズルのピース数に依るものとする。
【実施例】
【０００７】  以下、添付図面に従って一実施例を説明する。１はプラスチック等適宜素材にて形成されたスライドパズル、２はスライドパズルの一ピースに貼れる大きさに区切られている文字の印刷がされたシールで、３はスライドパズルのピースを固定するためのストッパーである。【０００８】  本考案の一実施例は上述のごとき構成からなるものであるから、何も書かれていないスライドパズル１に、そのパズルの一ピースの大きさに区切られ、一区切りに一文字が印刷されているシール２を、一枚（一文字）ずつ任意のメッセージの文字の順番に貼っていくことで自分の好きなメッセージの入ったスライドパズルを作ることができる。そして、スライドパズル１のストッパー３をはずし、各ピースをスライドすることで文字がばらばらになり、メッセージが分からなくなる。
【図面の簡単な説明】
【０００９】
【図１】本考案の文字シール付きスライドパズルの一実施例を示す全体図である。
【図２】本スライドパズルの具体的使用例のスケッチ図である。
【図３】本スライドパズルの具体的使用例のスケッチ図である。
【符号の説明】
【００１０】１  スライドパズル
２  文字シール
３  ストッパー
【図１】
0003110228.tif 000003
【図２】
0003110228.tif 000004
【図３】
0003110228.tif 000005
(57)【要約】【課題】  本考案は、すだれの昇降具を１個にして、昇降具の取付けを簡単にし、すだれをすばやく上げることができて、スピードアップしたものである。【解決手段】  本考案は、すだれの上端部中央に取付け部を取付け、取付け部にケーシングを取付け、ケーシングに中空の滑車をそれぞれ回転可能に挿入し、滑車には滑り部とストッパー部を設け、すだれの下端部中央に第１紐用取付け部を取付け、第１紐の一端を第１紐用取付け部に結び、すだれの表面から滑車に掛け、すだれの下端に向けてぶら下げ、つぎに第２紐の一端を前記取付け部の裏面に設けた第２紐用取付け部に結び、第２紐の他端をすだれの裏面からすだれの下端部を通して、すだれの表面から別の滑車に掛け、すだれの下端に向けてぶら下げる。【選択図】  図１
0003110285.tif 000002
【実用新案登録請求の範囲】
【請求項１】
すだれを昇降する昇降具において、すだれの上端部中央に取付け部を取付け、  取付け部に間仕切りを有するケーシングを取付け、ケーシングのそれぞれの間仕切り枠を貫通する軸に中空の滑車をそれぞれ回転可能に挿入し、滑車には滑り部とストッパー部を設け、すだれの下端部中央に第１紐用取付け部を取付け、第１紐の一端を第１紐用取付け部に結び、第１紐の他端をすだれの表面を通って滑車に掛け、すだれの下端に向けてぶら下げ、つぎに第２紐の一端を前記取付け部の裏面に設けた第２紐用取付け部に結び、第２紐の他端をすだれの裏面からすだれの下端部を通して、すだれの表面から別の滑車に掛け、すだれの下端に向けてぶら下げたことを特徴とするすだれ用昇降具。
【考案の詳細な説明】
【技術分野】
【０００１】
本考案は、すだれを昇降する器具に関するものである。
【背景技術】
【０００２】
従来のすだれ用昇降具は、すだれの上端部の左右に各１個、計２個の滑車を取付けている。また、従来のすだれ用昇降具は、すだれの下端部からくるくると巻き上げる方式しかなかった。
【考案の開示】
【考案が解決しようとする課題】
【０００３】
従来のすだれ用昇降具は、すだれを下端部から巻き上げるため一気にすだれを上げることができなかった。また、すだれ用昇降具は、左右１対の２個が必要であった。
そこで、すだれをすばやく上げることができ、しかも従来のように巻き上げることもできるようにした。また、すだれにすだれ用昇降具１個を取付けるだけでよいようにした。
【課題を解決するための手段】
【０００４】
本考案は、すだれの上端部中央に取付け部を取付け、取付け部に間仕切りを有するケーシングを取付け、ケーシングのそれぞれの間仕切り枠を貫通する軸に中空の滑車をそれぞれ回転可能に挿入し、滑車には滑り部とストッパー部を設け、すだれの下端部中央に第１紐用取付け部を取付け、第１紐の一端を第１紐用取付け部に結び、第１紐の他端をすだれの表面を通って滑車に掛け、すだれの下端に向けてぶら下げ、つぎに第２紐の一端を前記取付け部の裏面に設けた第２紐用取付け部に結び、第２紐の他端をすだれの裏面からすだれの下端部を通して、すだれの表面から別の滑車に掛け、すだれの下端に向けてぶら下げたものである。
【考案の効果】
【０００５】
本考案のすだれ用昇降具は、第１紐を引っ張るとすだれが一気に上がり、すだれの長さが半分になり、第１紐をさらに引っ張るとすだれは全部上がってしまい、すだれをすばやく上げることができる。また本考案のすだれ用昇降具は、すだれに取付ける昇降具が１個だけであるので、それだけ取付けが簡単であり、安価に供給できる。
【考案を実施するための最良の形態】
【０００６】
本考案は、すだれの昇降具を１個で昇降できるようにし、すだれをすばやく上げることができるという目的を簡単な構造で実現した。
【実施例１】
【０００７】
本考案の一実施例を図１〜図４によって説明すると、１はすだれ用昇降具であって、すだれ用昇降具１の取付け部２に間仕切りを有するケーシング３を取付け、ケーシング３を貫通する軸６に中空の滑車４、５を回転自在に嵌合し、滑車４には滑り部４ａとストッパー部４ｂを設け、滑車５にも滑り部５ａとストッパー部５ｂを設ける。
そして、すだれＡの上端部中央に取付け部２を取付け、すだれＡの下端部中央に第１紐用取付け部７を取付け、第１紐用取付け部７に第１紐８の一端を結び、第１紐８の他端８ａを滑車４の滑り部４ａに掛け、下にぶら下げる。取付け部２の裏面に第２紐用取付け部２ａを設け、第２紐用取付け部２ａに第２紐９の一端を結び、第２紐の他端９ａをすだれＡの裏面からすだれＡ下端部を通してＵターンし、すだれＡの表面から滑車５の滑り部５ａに掛け、下にぶら下げる。
すだれ用昇降具１をすだれＡに取付けた後、すだれＡの掛け部Ａ１、Ａ２を家屋の窓枠の取付け具に掛けるか、取付け部２の掛け部２ｂを窓枠の取付け具に掛ける。
【０００８】
そこで、すだれＡを上げようとするときは、第１紐８の他端８ａを引っ張ると、すだれＡの下端部が上端部に当接し、すだれＡの長さがすばやく半分になる。さらに、第１紐８の他端８ａを引っ張ると、すだれＡが全部上がる。そして、すだれＡを止めるには、第１紐８の他端８ａを滑車４のストッパー部４ｂに乗せると，どの時点でもすだれＡを止めることができる。
第２紐９の他端９ａを引っ張ると、すだれＡの下端部から順次巻き上がってゆき、すだれＡが全部巻き上がる。そして、すだれＡを止めるには、第２紐９の他端９ａを滑車５のストッパー部５ｂに乗せると、どの時点でもすだれＡを止めることができる。
【産業上の利用可能性】
【０００９】
すだれ昇降具の改良型であって、従来からあるすだれに簡単に本考案のすだれ昇降具を取付けることができ、しかも、昇降具の取扱いが簡単であり、すだれを上げるスピードが速くなったので、すだれの取扱いが楽になり、すだれがさらに普及する。
【図面の簡単な説明】
【００１０】
【図１】本考案の一実施例の斜視図である。
【図２】図１に示した実施例の取付け部の斜視図である。
【図３】図２に示した取付け部の分解図である。
【図４】図２に示したケーシング内の滑車の縦断面図である。
【符号の説明】
【００１１】
１  すだれ用昇降具
２  取付け部
３  ケーシング
４、５  滑車  
６  軸
８  第１紐
９  第２紐
【図１】
0003110285.tif 000003
【図２】
0003110285.tif 000004
【図３】
0003110285.tif 000005
【図４】
0003110285.tif 000006
(57)【要約】【課題】光源拡散作用が増し、光源が均一化するライトガイドの入光構造を提供する。【解決手段】ライトガイドの入光構造は、発光体光源を受ける入光面、上述の入光面と相互に連接する底面及び底面と相対して発光体光源を出カする出光面から構成される。発光体はライトガイドの入光面の一側面に設置される。このライトガイドの入光面は複数個の多角錐体構造を含み、発光体の入光光源は、多角錐体構造を経て光源拡散作用を高め、発光体の光源をライトガイドの出光面に向かって均一に放出する。【選択図】図2
0003110287.tif 000002
【実用新案登録請求の範囲】
【請求項１】
ライトガイドは、発光体光源を受ける入光面、上述の入光面と相互に連接する底面及び底面と相対して発光体光源を出カする出光面から構成され、発光体はライトガイドの入光面の一側面に設置されるライトガイドの入光構造において、ライトガイドの入光面は複数個の多角錐体構造を含むことを特徴とするライトガイドの入光構造。
【請求項２】
前記各複数個の多角錐体構造は、連続的規則性に於いて平均して配列されることを特徴とする請求項1記載のライトガイドの入光構造。
【請求項３】
前記各複数個の多角錐体構造は、非連続的な規則性に於いて配列されることを特徴とする請求項1記載のライトガイドの入光構造。
【請求項４】
前記各複数個の多角錐体構造は、錐状部が突出した入光面であることを特徴とする請求項1記載のライトガイドの入光構造。
【請求項５】
前記各複数個の多角錐体構造は、錐状部が凹んだ入光面であることを特徴とする請求項1記載のライトガイドの入光構造。
【請求項６】
前記発光体は、ライト管で、ライトガイドの入光面、及びライト管両端の相対する位置に複数個の多角錐体構造を設置することを特徴とする請求項1記載のライトガイドの入光構造。
【考案の詳細な説明】
【技術分野】
【０００１】
本考案は、ライトガイドの入光構造に関するもので、ライトガイドに於ける入光面の拡散効果を改善するものである。
【背景技術】
【０００２】
図1に示すのは、一般的な液晶モジュールの基本構造の光源投射指示図で、通常発光体(本実施例では発光体を発行ダイオード10とする)、ライトガイド20、拡散板30、プリズム片40及び液晶面板50を含む。そのうち、拡散板30とプリズム片40は順にライトガイド20上方へ設置する。このライトガイド20はポリマー樹脂から作られ、楔形の形状で、入光面21、出光面22、出光面22と相対して一定の角度を形成する底面から構成される。発光体10には、ライトガイドの入光面21一側面を設置し、入光面21から発光ダイオード10の光源を受ける。そして底面23を経由して光源を出光面22へ導き、続いて拡散板30、プリズム片40を通った後、液晶面板50に照射される。
【０００３】
拡散板30の作用は、通過する光線を均一に拡散することである。これによって液晶モジュールの明暗区現象を改善しているが、効果には限度があり、このため一部のバックライトモジュールでは、ライトガイド20と拡散板30隙間を故意に長くしてライトガイド20から放出する光線が拡散板30へ入る範囲を拡大し、薄暗い区域を縮小させている。しかしながら、この種の構造は、効果が有限であり、且つバックライトモジュールの厚みが増すので、液晶面板の軽薄化に逆行する。
【考案の開示】
【考案が解決しようとする課題】
【０００４】
解決しようとする問題点は、明暗区を改善するためにライトガイドと拡散板の間を故意に広げるため、液晶面板の軽薄化に逆行する点である。
【課題を解決するための手段】
【０００５】
本考案は、発光体光源を受ける入光面、上述の入光面と相互に連接する底面及び底面と相対して発光体光源を出カする出光面から構成される。発光体はライトガイドの入光面の一側面に設置される。このライトガイドの入光面は複数個の多角錐体構造を含み、発光体の入光光源は、多角錐体構造を経て光源拡散作用を高め、発光体の光源をライトガイドの出光面に向かって均一に放出することを最も主要な特徴とする。
【考案の効果】
【０００６】
本考案のライトガイドの入光構造は、光源拡散作用が増し、光源が均一化するという利点がある。
【考案を実施するための最良の形態】
【０００７】
本考案の構造は、図1と同様に、発光体(本実施例では発光体を発行ダイオード10とする)、ライトガイド20、拡散板30、プリズム片40及び液晶面板50を含む。そのうち、拡散板30とプリズム片40は順にライトガイド20上方へ設置する。このライトガイド20はポリマー樹脂で一体成型され、発光ダイオード10の光源を受ける入光面21と、上述の入光面21と相互に連接する底面23、そして底面23と相対して発光ダイオード10の光源を出カする出光面22を含み、発光ダイオード10の側面にはライトガイド入光面の一側面が設置される。
【実施例１】
【０００８】
図2に示すとおり、ライトガイド20の入光面21に複数の多角錐体構造24が形成され、その多角錐体構造24は連続して規則的に配列され、且つその多角錐体構造24の錐状は突出した入光面を形成する。
【実施例２】
【０００９】
或いは、図3に示すとおり、その多角錐体構造24の錐状が、凹んだ形体で設置される。
【実施例３】
【００１０】
図4、図５に示すとおり、各々複数の多角錐体構造24の配列が、非連続的に配列される。ライトガイド20の入光面21が発光ダイオード10の光源を受け、多角錐体構造24によって、拡散面の拡散放射作用が高まり、底面23からの反射によって、光源が均一に発散され、出光面22へ導き、そして拡散板30、プリズム片40を通過して、液晶面板50へ照射される。
【実施例４】
【００１１】
他に、図6に示すとおり、発光体はライト管10′から構成される。ライト管10′の両側の光源は弱いため、ライトガイド20の入光面21と、ライト管10′両側に相対する箇所に、複数個の多角錐体構造24を設置する。これによって、拡散面の放射作用が増し、光源が均一に出光される。
【図面の簡単な説明】
【００１２】
【図１】公知の一般液晶モジュールの光源投射構造指示図である。
【図２】本考案第一実施例のライトガイド構造外観立体図である。
【図３】本考案第二実施例のライトガイド構造外観立体図である。
【図４】本考案第三実施例のライトガイド構造外観立体図である。
【図５】本考案第四実施例のライトガイド構造外観立体図である。
【図６】本考案第五実施例のライトガイド構造外観立体図である。
【符号の説明】
【００１３】
10  発光ダイオード
107  ライト管
20  ライトガイド
21  入光面
21  出光面
23  底面
24  多角錐体構造
30  拡散板
40  プリズム片
50  液晶面板
【図１】
0003110287.tif 000003
【図２】
0003110287.tif 000004
【図３】
0003110287.tif 000005
【図４】
0003110287.tif 000006
【図５】
0003110287.tif 000007
【図６】
0003110287.tif 000008
(57)【要約】【課題】主動的、積極的手段によって光線を有効に分配し、液晶面板の明暗区現象を改善するバックライトモジュールのライトガイド構造を提供する。【解決手段】バックライトモジュールのライトガイド構造は、各光源の出光面上にライトガイド、複数枚の光学膜片及び液晶面板が順に設置される。そのうち、ライトガイドの入光側から有効発光区域の間に一個以上の中空層を形成し、光源の光線がライトガイドの中空層に進入した時、光線ルートが変化し、各光学膜片に向けて均一に放出され、輝度及び均一性を向上させる。【選択図】図2
0003110290.tif 000002
【実用新案登録請求の範囲】
【請求項１】
各光源の出光面上にライトガイド、複数枚の光学膜片及び液晶面板の順に設置されるバックライトモジュールから構成されたバックライトモジュールのライトガイド構造において、
ライトガイドの入光側から有効発光区域の間に一個以上の中空層を形成し、光源の光線がライトガイドの中空層を通った時に光線ルートが変化し、光線を有効に分配して放出することを特徴とするバックライトモジュールのライトガイド構造。
【請求項２】
前記光源は、ライトガイドの両側に設置し、ライトガイドの下方に反射板を設置することを特徴とする請求項1記載のバックライトモジュールのライトガイド構造。
【請求項３】
前記ライトガイドは、反射面若しくは出光面に反射機能を具えた図模様が成形され、その図模様は各種幾何学形状とすることを特徴とする請求項1記載のバックライトモジュールのライトガイド構造。
【請求項４】
前記ライトガイドは、その一角部に照射進入面を成形し、その照射進入面は欠切形状で、光源はその一角部に設置し、光線は照射進入面を通ってライトガイドに進入し、ライトガイド下方には反射板が設置されることを特徴とする請求項1記載のバックライトモジュールのライトガイド構造。
【考案の詳細な説明】
【技術分野】
【０００１】
本考案は、バックライトモジュールのライトガイド構造に関するもので、明暗区を形成しないものである。
【背景技術】
【０００２】
図1に示すとおり、一般の液晶モジュールのバックライトモジュール構造は、液晶面板10底面にライトガイド20を設置し、そのライトガイド20の出光面にはプリズム片もしくは拡散片から構成される光学膜片30を設置する。また、ライトガイド20の反射面には反射板40を設置し、両側に光源50を設置する。その光源50から放射される光線がライトガイド20に照射されると、ライトガイド20及び反射板40によって曲射及び反射作用を形成し、光線が上へ導かれ、プリズム片もしくは拡散片によって構成される光学膜片30を通り、平均化された光線が液晶面板10から放たれる。
【０００３】
この出光機能については、絶えず改善が成されており、ある種のライトガイド20が反射する反射面21には光反射機能を具えた図模様22が成形されている。この図模様22の形状は円形、矩形、線状等異なる形状で、作用としては光源を図模様22に反射させると、光源がスムーズに出光するよう強化したり、またはプリズム片や拡散片等光学膜片を変化させて強い光を送り、輝度及び均一度を高める。
【考案の開示】
【考案が解決しようとする課題】
【０００４】
解決しようとする問題点は、公知の液晶モジュールが抱える有効な明暗区現象を解決することが出来ない点である。
【課題を解決するための手段】
【０００５】
本考案は、各光源の出光面上にライトガイド、複数枚の光学膜片及び液晶面板が順に設置される。そのうち、ライトガイドの入光側から有効発光区域の間に一個以上の中空層を形成し、光源の光線がライトガイドの中空層に進入した時、光線ルートが変化し、各光学膜片に向けて均一に放出され、輝度及び均一性を向上させることを最も主要な特徴とする。
【考案の効果】
【０００６】
本考案のバックライトモジュールのライトガイド構造は、主動的、積極的手段によって光線を有効に分配し、液晶面板の明暗区現象を改善するという利点がある。
【考案を実施するための最良の形態】
【０００７】
以下、本考案の実施例について図面を参照しながら説明する。
【実施例１】
【０００８】
図2及び図3に示すとおり、上述と同様に液晶面板10底面にライトガイド20を設置し、そのライトガイド20の出光面にプリズム片もしくは拡散片から構成される光学膜片を設置する。またライトガイド20の反射面には反射板40を設置し、両側には光源50を設置する。光源50から放出された光線がライトガイド20に進入すると、ライトガイド20及び反射板40の曲射及び反射作用によって、光線を上へ導き、プリズム片もし<は拡散片から構成される光学膜片30を通り、平均化された光線が液晶面板10から出る。
【０００９】
ライトガイド20の板体内には、入光側A〜有効発光区域Bまでの間に一個以上の中空層23が形成される。この中空層23は連続性(図4参照)もしくは非連続性(図3参照)で、各種幾何学形状である。その中空層23は光源50の位置に相対して設置し、光源50の光線が中空層23を通った時、図5に示すとおり、有効に分配して放出される。このライトガイド20の反射面21もしくは出光面24も反射機能を具えた図模様22が成形される。この図模様22は各種幾何学形状で、光を強化して輝度及び均一性を向上させる。
【実施例２】
【００１０】
この他、図6に示すとおり、ライトガイド20の一角部に照射進入面24を設置し、その照射進入面24は、欠切形状とする。そして光源50を一角部に設置し、光線が照射進入面24から入ってライトガイド20へ進む。ライトガイド20下方には反射板40が設置され、中空層23は光源50の位置に相対して設置され、同様に光源50が中空層23を通った時、光線ルートが変化する。
【図面の簡単な説明】
【００１１】
【図１】公知のバックライトモジュール構造指示図である。
【図２】本考案のバックライトモジュール構造指示図である。
【図３】本考案のバックライトモジュールの別面構造指示図である。
【図４】本考案のバックライトモジュールの別構造指示図である。
【図５】本考案のバックライトモジュールの光線ルート指示図である。
【図６】本考案のバックライトモジュールの別実施例構造分解図である。
【符号の説明】
【００１２】
A  入光側
B  有効発光区域
10  液晶面板
20  ライトガイド
21  反射面
22  図模様
23  中空層
24  照射進入面
25  出光面
30  光学膜片
40  反射板
50  光源
【図１】
0003110290.tif 000003
【図２】
0003110290.tif 000004
【図３】
0003110290.tif 000005
【図４】
0003110290.tif 000006
【図５】
0003110290.tif 000007
【図６】
0003110290.tif 000008
(57)【要約】【課題】  脱衣中に浴室の床を十分に暖めておくことができる温水散布装置を提供する。【解決手段】  温水散布装置は、棒状のポンプ手段１と、ポンプ手段１を浴槽９内に起立させて保持すべくポンプ手段１を浴槽に着脱自在に取り付けるスプリング部材３と、ポンプ手段１の吐出口に接続したホース５と、ポンプ手段１によって汲み出される温水を浴室の床に散布すべくホース５の先端に設けたノズル６とを備えている。【選択図】図１
0003110292.tif 000002
【実用新案登録請求の範囲】
【請求項１】
棒状のポンプ手段と、該ポンプ手段を浴槽内に起立させて保持すべく上記ポンプ手段を浴槽に着脱自在に取り付ける取付手段と、上記ポンプ手段の吐出口に接続したホースと、上記ポンプ手段によって汲み出される温水を浴室の床に散布すべく上記ホースの先端に設けたノズル手段とを備えたことを特徴とする温水散布装置。
【請求項２】
上記取付手段は、浴槽の側壁に差し込んで装着される断面略コ字型のスプリング部材で構成するとともに、その一方の側壁に上記ポンプ手段を固定し、その他方の側壁に上記ホースを固定したことを特徴とする請求項１に記載の温水散布装置。
【考案の詳細な説明】
【技術分野】
【０００１】
本考案は、浴室の床に浴槽から湯を汲み出して散布する装置に関する。
【背景技術】
【０００２】
冬の寒い時期には浴室が冷えているため、入浴するのが億劫になる。特に、浴室に入った際、足の裏が冷たい床に触れるのが不快である。また、高齢者の入浴は身体への負担が大きく、注意が必要である。このため、浴槽内の湯を風呂桶で汲み出して床に散布し、床を暖めてから入浴していた。
【考案の開示】
【考案が解決しようとする課題】
【０００３】
しかし、浴槽内の湯を床に散布しておいても、脱衣中に床が冷えてしまい、十分な効果は期待できないし、風呂桶による湯の散布は面倒である。
【０００４】
本考案は、このような事情に鑑み、脱衣中に浴室の床を十分に暖めておくことができる温水散布装置を提供することを目的とする。
【課題を解決するための手段】
【０００５】
上記課題を解決するための本考案は、棒状のポンプ手段と、該ポンプ手段を浴槽内に起立させて保持すべく上記ポンプ手段を浴槽に着脱自在に取り付ける取付手段と、上記ポンプ手段の吐出口に接続したホースと、上記ポンプ手段によって汲み出される温水を浴室の床に散布すべく上記ホースの先端に設けたノズル手段とを備えたことを特徴とする。
【０００６】
上記取付手段は、浴槽の側壁に差し込んで装着される断面略コ字型のスプリング部材で構成するとともに、その一方の側壁に上記ポンプ手段を固定し、その他方の側壁に上記ホースを固定するのが好ましい。
【考案の効果】
【０００７】
本考案によれば、浴槽内の湯がポンプ手段によって汲み出され、ホース先端のノズル手段によって浴室の床に散布されるので、脱衣中に浴室の床を十分に暖めておくことができる。また、ホンプ手段は浴槽に対して着脱自在であるので、入浴の邪魔になることはない。
【０００８】
取付手段を断面略コ字型のスプリング部材で構成すると、これを浴槽の側壁に差し込んで装着することができるので、浴槽に対する着脱が容易になるとともに、構造が簡単になり、コスト的に有利になる。
【考案を実施するための最良の形態】
【０００９】
以下、本考案の実施形態を添付図面に基づいて詳細に説明する。
図１は本考案の温水散布装置を示す斜視図、図２は図１のノズル取付部分の縦断面図である。
【００１０】
この温水散布装置は棒状のポンプ手段１を備えている。ポンプ手段１はハウジング１ａの上部にモータ（図示せず）を内蔵するとともに、ハウジング１ａの下部にポンプ機構（図示せず）を内蔵し、ハウジング１ａの上端面にスイッチ２を設けてある。ポンプ手段１は取付手段としてのスプリング部材３に取り付けてある。このスプリング部材３は断面略コ字型に形成され、その一方の側壁３ａにポンプ手段１をフィクサ４で固定してある。
ポンプ手段１はハウジング１ａの中央部に吐出口（図示せず）を備え、この吐出口に樹脂製のホース５を接続してある。ホース５の先端にはステンレス製のノズル６をビス７で固定してある（図２参照）。このノズル６は吐出口８を４個備えている。ホース５はフィクサ４でスプリング部材３の他方の側壁３ｂに固定してある。
この温水散布装置を使用する際には、浴槽９の側壁９ａにスプリング部材３を差し込み、ポンプ手段１を浴槽９内に起立させて保持してから、スイッチ２を押してポンプ手段１を作動させる。すると、浴槽９内の湯がポンプ手段１によって汲み出され、ホース５の先端のノズル６から周囲に噴出し、浴室の床に散布される。
このため、脱衣中に浴室の床を十分に暖めておくことができる。入浴に際しては、温水散布装置を浴槽９から取り外しておけばよいので、温水散布装置が入浴の邪魔になることはない。さらに、スプリング部材３は浴槽９の側壁９ａに差し込んで装着することができるので、浴槽９に対する着脱が容易である。また、取付手段として断面略コ字型のスプリング部材３を使用しているので、構造が簡単になり、コスト的に有利になる。
なお、ポンプ手段１は、リモコンによる遠隔操作を可能にしてもよいし、一定時間の作動後に自動停止させるタイマーを設けてもよい。
【図面の簡単な説明】
【００１１】
【図１】本考案の温水散布装置を示す斜視図。
【図２】図１のノズル取付部分の縦断面図。
【符号の説明】
【００１２】
１    ポンプ手段
１ａ  ハウジング
２    スイッチ
３    スプリング部材
４    フィクサ
５    ホース
６    ノズル
７    ビス
８    吐出口
９    浴槽
９ａ  側壁
【図１】
0003110292.tif 000003
【図２】
0003110292.tif 000004
(57)【要約】      （修正有）【課題】腰掛用足踏みホイルの位置決め安定性に優れ、子供や年配などの使用者にとっても操作が極めて容易な腰掛用足踏みホイルの構造を提供する。【解決手段】ボスにはメスねじ段３２が設けてあり、前記メスねじ段はスリーブ４に設けたオスねじ段４１と螺合し、前記スリーブが腰掛の支柱に嵌めてあることを特徴とする、腰掛用足踏みホイルの構造。【選択図】図２
0003110237.tif 000002
【実用新案登録請求の範囲】
【請求項１】
ボスにはメスねじ段が設けてあり、前記メスねじ段はスリーブに設けたオスねじ段と螺合し、前記スリーブが腰掛の支柱に嵌めてあることを特徴とする、
腰掛用足踏みホイルの構造。
【請求項２】
前記スリーブ及び前記腰掛にはそれぞれ、貫通孔が開設してあり、スリーブを支柱に嵌めてスリーブの前記貫通孔と腰掛の前記貫通孔とを位置合わせし、固定ピンによりスリーブを支柱に固定したことを特徴とする、請求項１に記載の腰掛用足踏みホイルの構造。
【考案の詳細な説明】
【技術分野】
【０００１】
本考案は、腰掛用足踏みホイルの構造（取付け構造または腰掛への取付け構造）に係り、特に、位置決め安定性に優れた腰掛用足踏みホイルの構造に関するものである。
【背景技術】
【０００２】
図１に示すのは、従来の腰掛用足踏みホイル１であり、その中心には、スリーブを腰掛の支柱に嵌めるためのボス１１が設けてあり、また、前記ボス１１の径方向には螺着素子１２が設けてあり、前記螺着素子１２には握り部１３が設けてある。使用者が例えば手で握り部１３を回転すると、螺着素子１２がボス１１にねじ込まれて支柱２に当接し、腰掛用足踏みホイル１が支柱２に固定される。
【考案の開示】
【考案が解決しようとする課題】
【０００３】
しかしながら、上記した構造には次のような問題点がある。
（１）腰掛用足踏みホイル１に作用する軸方向への力、例えば下方への力が、螺着素子１２の支柱２に対する摩擦力よりも大きい場合には、腰掛用足踏みホイル１が落下する。
（２）腰掛用足踏みホイル１の高度の調整は、例えば、一方の手で腰掛用足踏みホイル１を支持して、他方の手で握り部１３を握って螺着素子１２を緩めたり締めたりすることにより行うので、子供や年配などの使用者にとっては操作し難い。
【課題を解決するための手段】
【０００４】
上記問題点を解決するためになされた本願の第1の考案は、ボスにはメスねじ段が設けてあり、前記メスねじ段はスリーブに設けたオスねじ段と螺合し、前記スリーブが腰掛の支柱に嵌めてあることを特徴とする、腰掛用足踏みホイルの構造であることを要旨としている。
【０００５】
本願の第２の考案は、前記スリーブ及び前記腰掛にはそれぞれ、貫通孔が開設してあり、スリーブを支柱に嵌めてスリーブの前記貫通孔と腰掛の前記貫通孔とを位置合わせし、固定ピンによりスリーブを支柱に固定したことを特徴とする、第1の考案の腰掛用足踏みホイルの構造であることを要旨としている。
【考案の効果】
【０００６】
本考案に係る腰掛用足踏みホイルの構造によれば、次のような効果がある。
（１）腰掛用足踏みホイルのボスにはメスねじ段が設けてあり、且つ腰掛の支柱にはオスねじ段を設けたスリーブが嵌めてあるので、ボスとスリーブとの螺合により、腰掛用足踏みホイルの位置決めを安定させることができる。
（２）腰掛用足踏みホイルのボスとスリーブとの相互の調整及び位置決めが螺合によるので、このような省力化機構により、子供や年配の使用者にとっても操作が極めて容易となる。
【考案を実施するための最良の形態】
【０００７】
以下、添付図面を参照して本考案の好適な実施の形態を詳細に説明する。
【０００８】
まず、図２を参照する。本考案に係る腰掛用足踏みホイルの構造は、使用者の足を載せるための腰掛用足踏みホイル３を有し、前記腰掛用足踏みホイル３の中心にはボス３１が設けてあり、且つボス３１にはメスねじ段３２が設けてあり、前記メスねじ段３２がスリーブ４に設けたオスねじ段４１と螺合するように構成され、スリーブ４の上端には貫通孔４２が開設してある。前記スリーブ４を腰掛の支柱５に嵌めた後、前記スリーブ４の貫通孔４２を支柱５の貫通孔５１に位置合わせし、固定ピン６を貫通孔４２、５１に挿入することにより、スリーブ４が支柱５に固定される。
【０００９】
また、図３を参照する。使用する際には、スリーブ４のオスねじ段４１に、腰掛用足踏みホイル３のボス３１に設けたメスねじ段３２を螺合し、使用者の身長に応じて、腰掛用足踏みホイル３を旋回して、腰掛用足踏みホイル３をスリーブ４に対して上昇し又は降下させる。これにより、腰掛用足踏みホイル３が使用者の身長に合う高さに調整することができ、且つ使用者の足が腰掛用足踏みホイル３を踏んで下方に押圧しても、オスねじ段４１及びメスねじ段３２の螺合は軸方向への耐負荷性が極めて高いので、腰掛用足踏みホイル３の取付け及び位置決めは非常に安定している。
【図面の簡単な説明】
【００１０】
【図１】従来の腰掛用足踏みホイルの構造を示す斜視図である。
【図２】本考案に係る腰掛用足踏みホイルの構造の分解斜視図である。
【図３】本考案に係る腰掛用足踏みホイルの構造を示す断面図である。
【符号の説明】
【００１１】
（従来の部分）
１        腰掛用足踏みホイル            １１      ボス
１２      螺着素子                      １３      握り部
２        支柱
（本考案の部分）
３        腰掛用足踏みホイル            ３１      ボス
３２      メスねじ段                    ４        スリーブ
４１      オスねじ段                    ４２      貫通孔
５        支柱                          ５１      貫通孔
６        固定ピン
【図１】
0003110237.tif 000003
【図２】
0003110237.tif 000004
【図３】
0003110237.tif 000005
(57)【要約】      （修正有）【課題】学校、医院、旅館、家庭などの来客用スリッパは、不特定多数の人がくり返し使用している。足裏や使用中の靴下が直接触れるスリッパを他人の間で使い回すことの衛生上の不安と心理的不快感の解消等。【解決手段】減菌、消臭、吸湿効能付紙パッド３を粘着のり付底紙シ−ト２と薄和紙表シ−ト４ではさんだスリッパ用使い捨て中敷紙シ−ト１０をスリッパ２０に装着することでこの課題を解決する。【選択図】図２
0003110231.tif 000002
【実用新案登録請求の範囲】
【請求項１】
外側の面に粘着のりのついた長だ円形底紙シ−トと、長だ円形減菌、消臭、吸湿効能付紙パッドと、紙パッドを押さえ底紙シ−ト周囲端部と接着する長だ円形薄和紙表シ−ト、粘着のり面保護シ−トからなるスリッパ用使い捨て中敷紙シ−ト
【考案の詳細な説明】
【技術分野】
【０００１】本考案は、スリッパに使用する使い捨て中敷紙シ−トに関する。
【背景技術】
【０００２】学校、医院、旅館、家庭などの来客用スリッパは、不特定多数の人がくり返し使用している。
【考案の開示】
【考案が解決しようとする課題】
【０００３】しかし、使用する方も、使用を提供する方も、直に足裏や靴下に触れるものを他人の間で使い回ししたり、させたりすることに衛生上の不安と心理的抵抗がある。
【課題を解決するための手段】
【０００４】そこで、粘着のり面付スリッパ用使い捨て中敷紙シ−トをスリッパに貼ることにより足裏、靴下が直接スリッパに触れずに使用することができる。
【考案の効果】
【０００５】よって、本考案の粘着のり面付スリッパ用使い捨て中敷紙シ−トの使用により、来客時、すでに使用歴のあるスリッパを提供する場合でも、気後れなく使用を勧めることができる。使用する方も未使用のシ−トが貼られていることで快適にスリッパを履くことができる。また、中紙パッドに減菌、消臭、吸湿効果のある紙を使用することによって、足のむれ、汚れ、臭気などをスリッパに残す不安なく使用することができる。多汗な人、水虫の人などは、自分用スリッパに使用すればより衛生的である。大人用スリッパはサイズにあまり巾がなく、底部は、左右、上下の区別なく長だ円であることから、この中敷紙シ−トは、適性１サイズでどのスリッパに使用してもその目的を満たすことができる。軽量で薄く、底紙シ−トの粘着面は、保護シ−ルで覆われているため携行使用にも便利である。
［考案を実施するための最高の形態］【０００６】本考案に係わるスリッパ用使い捨て中敷紙シ−ト１０は、図１に示すようにスリッパ２０に接着固定する粘着のり付底紙シ−ト２、減菌、消臭、吸湿効能付紙パッド３、紙パッドを押さえて底紙シ−ト周囲端部と接着する薄和紙表シ−ト４、粘着のり面保護シ−ル１を備えている。保護シ−ルのどちらか一方の端を少しはがし、スリッパの先へ押し入れシ−ルをはがしながらかかと部分へ押しつければ簡単に装着できる。粘着のりには弱粘着スプレ−のり、弱粘着テ−プのりなどを用いることでスリッパ面の汚損を避けることができる。粘着力の弱いのりでも体重によって押えられるのでスリッパ面からずれない。本考案による中敷紙シ−トの使用によって、足裏も靴下も直にスリッパ面に触れないため、同じスリッパを不特定多数の人でくり返し使わなくてはならない場合もより快適に使用できる。薄和紙表シ−トには色、文様、文字、香りなど付加価値を付けることで多様な需要に答えることができる。
【図面の簡単な説明】
【０００７】［図１］
本考案に係わるスリッパ用使い捨て中敷シ−トの断面図である。
［図２］
スリッパ用使い捨て中敷紙シ−トを粘着のり面保護シ−ルをはがし、スリッパに装着して使用した状態の断面図である。
［図３］
従来通りのスリッパ使用の断面図である。
【符号の説明】
【０００８】  １      粘着のり面保護シ−ル
２      粘着のり付底紙シ−ト
３      減菌、消臭、吸湿効能付紙パッド
４      薄和紙表シ−ト
１０      スリッパ用使い捨て中敷紙シ−ト
２０      スリッパ
Ｆ      足
【図１】
0003110231.tif 000003
【図２】
0003110231.tif 000004
【図３】
0003110231.tif 000005
(57)【要約】      （修正有）【課題】互換的履着し得る左右同一形状の靴下の先端部において、つま先部にマチ部分を編成付加することで、足先各指部に開放感が得られ、靴下の履着時に快適な着用感が得られ、つま先部の通気性が得られる共に、靴下の耐久性を向上させるべくつま先部を立体的とした靴下の提供。【解決手段】互換的履着し得る左右同一形状の靴下の先端部において、つま先成形線のほぼ両端部よりつま先中央部に向かう連結成形部を形成し、連結成形部の端部において分岐成形線を形成し、連結成形部と分岐分岐成形線とがＹ字形をなすように切替え編成した。【選択図】図１
0003110232.tif 000002
【実用新案登録請求の範囲】
【請求項１】
互換的履着し得る左右同一形状の靴下の先端部において、つま先成形線のほぼ両端部よりつま先中央部に向かう連結成形部を形成し、連結成形部の端部において分岐成形線を形成し、前記連結成形部と分岐分岐成形線とがＹ字形をなすように切替え編成したことを特徴とするつま先立体的とした靴下。
【考案の詳細な説明】
【技術分野】
【０００１】この考案は、互換的に履着し得る左右同一形状の靴下の先端部において、つま先部にマチ部分を編成付加することで、足先各指部に開放感が得られ、靴下の着用時に快適な着用感が得られ、つま先部の通気性が得られ、しかも靴下の耐久性を向上させる目的で開発したつま先部を立体的とした靴下に関する。
【背景技術】
【０００２】日常履着する靴下であっても、その破損箇所は主としてつま先である。特に、運動をする場合、靴下つま先部と靴先の接触摩擦が強まることから靴下のつま先部が早期に破損する傾向がある。このような靴下のつま先等の早期の破損を防止するべく様々な靴下の改良が行われている。例えば、つま先の形状に合った靴下のつま先領域の端縁となるように編成し、右足用靴下と左足用靴下の形状の靴下を提供すること。（例えば特許文献１）
また、つま先、踵等の底部が表目と裏目とからなる平網を基本組織とする靴下において、表目を内面にし、逆に裏目を外面にして着用するようにした靴下であって、特に外面になる裏目の表糸に耐磨耗性糸を使用するような靴下とするもの。（例えば特許文献２）【０００３】
【特許文献１】特表２００２−５０９２０２号
【特許文献２】特開２０００−２３９９０１号
【考案の開示】
【考案が解決しようとする課題】
【０００４】上記のような従来技術では、例えば右足用靴下と左足用靴下の形状の靴下を個別に製造することは量産に適しないことから、靴下の単価が高騰すると共に、このような靴下を使用する側も靴下の履着時に左右を確認する手数がかかるという問題点がある。
又、耐磨耗性を破損し易い箇所に耐耐磨耗性糸を使用するすることは量産性を損ない、靴下価格を高騰化させるという問題点を有することに変わりはない。
【課題を解決するための手段】
【０００５】上記の問題点を解決するために、互換的履着し得る左右同一形状の靴下の先端部において、つま先成形線のほぼ両端部よりつま先中央部に向かう連結成形部を形成し、連結成形部の端部において分岐成形線を形成し、前記連結成形部と分岐分岐成形線とがＹ字形をなすように切替え編成した。
【考案の効果】
【０００６】この考案は、上記の課題を解決すべく、互換的履着し得る左右同一形状の靴下の先端部において、つま先成形線のほぼ両端部よりつま先中央部に向かう連結成形部を形成し、連結成形部の端部において分岐成形線を形成し、前記連結成形部と分岐分岐成形線とがＹ字形をなすように切替え編成することによって、靴下履着時のつま先の開放感、爽快感が得られると共に特につま先と履物の接触抵抗が軽減されることから靴下の耐久性が従来の靴下と較べて約１．５倍程度向上する。しかも、つま先の各指が自由に動きやすくなることで、各指への力が伝わりやすく連動能力が発揮しやすい。
【考案を実施するための最良の形態】
【０００７】この考案であるつま先立体的とした靴下は、互換的履着し得る左右同一形状の靴下１の先端部２において実施されるものである。靴下１を構成する上部履口３、脚部４、踵部５、甲側６及び足裏側７を通常の編成手段により丸編機により環状に編成される。【０００８】つま先部８はつま先の甲側を横断状につま先成形線９が形成され、該つま先成形線９のほぼ両端部１０よりつま先中央先端部に向かう連結成形部１１、１１を形成し、連結成形部１１、１１の端部において分岐成形線１２、１３をそれぞれ形成し、前記連結成形部１１、１１と分岐分岐成形線１２、１３とがＹ字形をなすように切替え編成する。即ち、分岐分岐成形線１２、１３に囲まれる領域は袋状となり、図２及び図３においてドットで示した部分が立体袋状となり、この靴下を履いたときには、足先端の五指がこの袋状部１４にほぼ納まることとなる。【０００９】即ち、本願の靴下は基本的には、左側靴下と右側靴下とを区別せず、同一形状としたものである。【００１０】上記のように連結成形部１１、１１を形成し、前記連結成形部１１の端部において分岐成形線１２、１３を形成することにより、分岐成形線１２、１３に囲まれるマチ部領域がつま先が立体的に形成され、つま先の足指五指が該立体部に無理なく納まることになり、足指五指が自由に動きやすくなるため運動選手等の運動能力が発揮しやすい。この考案に係る靴下は、靴下の使用用途を問わずに適用することができる。
【産業上の利用可能性】
【００１０】このような互換的履着し得る左右同一形状の靴下のつま先部に立体的なマチ部を形成することにより、使用者の履着感が抜群によくなると共に、特に靴下のつま先の耐久性が改善され、靴下を履着する時の解放感、爽快感が得られるので、運動選手はもちろん通勤、通学、一般家庭での使用等、広範囲に産業上の利用可能である。
【図面の簡単な説明】
【００１１】
【図１】この考案の靴下の側面図
【図２】履着時のつま先先端部を示す一部正面図
【図３】履着時のつま先先端部を示す一部平面図
【符号の説明】
１．．．．靴下
２．．．．靴下の先端部
３．．．．上部履口
４．．．  脚部
５．．．．踵部
６．．．．甲側
７．．．  足裏側
８．．．．つま先部
９．．．．つま先成形線
１０．．．両端部
１１．．．連結成形部
１２．．．分岐分岐成形線
１３．．．分岐分岐成形線
１４．．．袋状部
【図１】
0003110232.tif 000003
【図２】
0003110232.tif 000004
【図３】
0003110232.tif 000005